(57)【要約】      （修正有）【課題】容易に靴下等を履くことができる補助具の提供。【解決手段】靴下用の補助具を、Ｕ字断面形状のガイド部１１と所定の長さの把持部１２とで構成し、このガイド部の先端にシート部材２の一端を接合すると共に、このガイド部の裏面に滑り防止部１１ａを設ける。シート部材２の滑らかな表面によって、足の甲がよく滑るようになり、足全体を容易に靴下４に挿入することができる。【選択図】図１
0003139846.tif 000002
【実用新案登録請求の範囲】
【請求項１】
所定の長さの本体部とシート部材とを有し、
上記本体部は、ほぼ足の長さのガイド部と、所定の長さの把持部とを備え、
上記ガイド部は、Ｕ字形状の断面に形成してあり、
上記ガイド部の裏面には、靴下の滑り防止部が設けてあり、
上記ガイド部の先端部には、上記シート部材の一端部が取り付けてある
ことを特徴とする靴下用の補助具。
【請求項２】
請求項１において、上記シート部材は、上記ガイド部とほぼ同じ長さを有し、かつこのガイド部より横幅が広いことを特徴とする靴下用の補助具。
【請求項３】
請求項１または２のいずれかにおいて、上記ガイド部の先端部は、先細り形状になっていることを特徴とする靴下用の補助具。
【請求項４】
請求項１乃至３のいずれかの１において、上記滑り防止部は、シート状の摩擦部材であることを特徴とする靴下用の補助具。
【考案の詳細な説明】
【技術分野】
【０００１】
本考案は、靴下を履くときに使用する靴下用の補助具に関する。
【背景技術】
【０００２】
従来から、足や腰等の間接に障害を有する人や、身体の柔軟性が失われた高齢者等が靴下を履くときは、つま先に、なかなか手が届かずに、時間が掛かったり、うまく履けなかったりする場合があった。このため靴下を履くために、他人の手助けが必要な場合も多い。
【０００３】
そこで、高齢者や身体の不自由な者が、自分で靴下を履けるようにする補助具が考えられている。すなわち、足底と両側面とを囲むように湾曲させたガイド部と、手で持つための把持部とからなり、このガイド部の裏側面に、靴下の滑り防止部を設けた補助具が提案されている（例えば特許文献１参照。）。また、足底の形状に沿うような円弧断面形状のガイド部材であって、その手前端部の２箇所に引張ひもを結びつけ、このガイド部材の裏側面に、靴下の滑り防止部を設けた補助具が提案されている（例えば特許文献２参照。）。
【特許文献１】実用新案登録３０３９５３０号（図１〜３参照）
【特許文献２】実用新案登録３０７９９４３号（図１〜３参照）
【考案の開示】
【考案が解決しようとする課題】
【０００４】
上述した靴下等の補助具は、いずれもガイド部あるいはガイド部材の先端部分に、まず靴下を手繰りつつ嵌込むと、ガイド部等の両側部の間に、靴下のゴム口部が円弧断面形状に開口する。次いでこのガイド部等の上に足を乗せ、この開口した部分に足先を挿入する。そして把持部あるいは引張ひもを手前に引いて、靴下に足全体を挿入しつつ、この補助具を引き抜くようにして使用する。なおガイド部等の裏側面に設けた滑り防止部は、靴下に足先を挿入するときに、この靴下が、このガイド部等から抜け出すのを防止する共に、補助具を引き抜くときに、靴下のゴム口部を足首の上方に引き上げることができる。さらに把持部あるいは引張ひもを手前に引いて靴下を履くので、あまり身体を曲げる必要がない。
【０００５】
しかるに本願考案者は、上述した靴下等の補助具には、次の改良すべき問題があることを見出した。すなわちガイド部等の両側部の間に開口する靴下のゴム口部には、足のつま先を比較的容易に挿入できるが、次第に高さが増す足の甲を挿入する際には、この足の甲が靴下のゴム口部にぶつかって、それ以上足を挿入することが困難になる。また無理に足を挿入すると、靴下がガイド部等から抜け出してしまう場合がある。
【０００６】
そこで本考案の目的は、上記問題を解決して、さらに容易に靴下を履ける靴下用の補助具を提供することにある。
【課題を解決するための手段】
【０００７】
本考案による靴下用の補助具の特徴は、上述した筒状部の先端に、シート部材を追加したことにある。すなわち本考案による靴下用の補助具は、所定の長さの本体部とシート部材とを有している。上記本体部は、ほぼ足の長さのガイド部と、所定の長さの把持部とを備えている。また上記ガイド部は、Ｕ字形状の断面に形成してあり、上記ガイド部の裏面には、靴下の滑り防止部が設けてある。そして上記ガイド部の先端部には、上記シート部材の一端部が取り付けてある。
【０００８】
上記シート部材は、上記ガイド部とほぼ同じ長さを有し、かつこのガイド部より横幅が広いことが好ましい。また上記ガイド部の先端部は、先細り形状になっていることが、より望ましい。さらに上記滑り防止部は、シート状の摩擦部材であることが望ましい。
【０００９】
ここで「シート部材」とは、例えば合成樹脂製のシート、布、または布の表面に合成樹脂をコーティング若しくは含浸させたシートが該当する。また「足の長さ」とは、足のつま先から、かかとの後端までの長さを意味する。「所定の長さの把持部」とは、ガイド部に嵌込んだ靴下に足を挿入する際に、このガイド部を手で掴んで支持し、またこのガイド部を引き抜くときに、身体をあまり曲げないで手で掴める長さを有する全てのものを意味し、このガイド部と一体的に形成したものに限らず、別部材をこのガイド部に連結したものも含む。
【００１０】
「すべり防止部」とは、ガイド部の先端部分に、靴下を手繰りつつ嵌込んだときに、靴下のゴム口部が当接し、次にこの靴下に足を挿入するときに、この靴下のゴム口部との摩擦力等によって、ガイド部から靴下が抜け出すことを防止すると共に、補助具を引き抜くときに、靴下のゴム口部を足首の上方に引き上げることができる全ての手段を意味する。例えばゴム、合成樹脂、あるいは表面を毛羽立たせた布等のシート状の部材や、表面に凹凸を設けた板状部材や、ガイド部の裏面に形成した帯状の突起部等が該当する。また「先細り形状」とは、靴下用の補助具を上方から見た場合に、筒状部材の先端部の幅が、次第に狭くなっていく形状を意味する。
【考案の効果】
【００１１】
ガイド部の先端部にシート部材の一端部を取り付けることによって、より容易に靴下に挿入することができる。すなわち、シート部材をガイド部の上側面に重ねた状態で、このガイド部の先端部分に靴下を手繰りつつ嵌込むと、上述したように、ガイド部等の両側部の間に、靴下のゴム口部が円弧断面形状に開口する。次いで靴下のゴム口部の外側に出ているシート部材の後端部を掴んで上方に曲げると、このシート部材の下面とガイド部の両側部との間が開口する。そこでガイド部の上に足を乗せ、この開口する部分に足先を挿入すると、シート部材の滑らかな表面によって、足の甲がよく滑るようになり、足全体を容易に靴下に挿入することができる。
【００１２】
次いでガイド部を引き抜くと、シート部材は、靴下の上側と足の甲の表面との間に滑りつつ引張り込まれ、足先を上側から下側に回って、靴下の下側と足の底との間から、容易に引き抜くことができる。
【００１３】
なお次の作用効果も発揮する。すなわち所定の長さの把持部によって、身体をあまり曲げないで、靴下用の補助具を支持したり、引き抜いたりすることができる。またガイド部をＵ字断面形状に形成することによって、このガイド部の先端部分に靴下を手繰りつつ嵌込んだときに、ガイド部等の両側部の間に、靴下のゴム口部が円弧断面形状に開口するため、この開口する部分に足のつま先を挿入することが容易になる。ガイド部の裏面に靴下の滑り防止部を設けることによって、靴下に足を挿入するときに、この靴下のゴム口部との摩擦力等によって、ガイド部から靴下が抜け出すことが防止できると共に、補助具を引き抜くときに、靴下のゴム口部を足首の上方に引き上げることができる。
【００１４】
シート部材を、上記ガイド部とほぼ同じ長さ、およびこのガイド部より横幅が広く製作することによって、足の甲の上面のみならず両側面も十分覆うことができるので、ガイド部に靴下を嵌込むことが容易になる。ガイド部の先端部を、先細り形状にすることによって、このガイド部に靴下を嵌込むことが容易になる。シート状の摩擦部材を滑り防止部にすることによって、防止部を薄く構成することが可能になる。したがってガイド部に靴下を嵌込むことが容易になる。
【考案を実施するための最良の形態】
【００１５】
図１〜図４を参照しつつ、本考案による靴下用の補助具について説明する。さて、図１に示すように靴下用の補助具は、本体部１とシート部材２とを有しており、この本体部には、ほぼ足の長さでＵ字形状の断面を有するガイド部１１と、本体部を手で持つ把持部１２とを備えている。また、ガイド部１１の先端部分には、シート部材２の一端部が取り付けてあり、このガイド部の裏面には、靴下の滑り防止部１１ａを設けている。
【００１６】
ガイド部１１は、弾力性を有する合成樹脂製の板状部材であって、その表面は、二重編メリヤス編地で覆れている。なおこの二重編メリヤス編地の表編目は、全てのループの係合を外して起立させたパイル状にしてある。ガイド部１１は、長さが約２０ｃｍ、幅が約１０ｃｍであって、足３の底面や、かかと等に合うような円弧断面の形状に成形してある。この断面の形状は、ガイド部１１の長さ方向の中央付近において、ほぼ１２０度の円弧長さになっており、このガイド部の先端、及び把持部１２との境界部分に向かって、横幅が徐々に狭くなっている。また、ガイド部１１の裏側の先端部分には、薄いシート状の滑り防止部１１ａを設けている。なお防止部１１ａは、発泡ウレタンを網目状に形成したものである。また滑り防止部１１ａは、ガイド部１１の裏側の全体を覆う場合に限らず、部分的に複数箇所設けてもよい。
【００１７】
把持部１２は、ガイド部１１の後端に一体的に連設されており、長さが約２５ｃｍ、幅が約５ｃｍの円弧断面形状に形成してある。なお把手部１２の後端部には、開口穴が開口しており、靴下用の補助具を、壁等に設けられたフックに引掛けたりすることができる。
【００１８】
さてシート部材２は、摩擦抵抗の小さいビニール製のシートからなり、ほぼガイド部１１と同じ長さ及び幅に形成してある。シート部材２の先端は、ガイド部１１の先端の裏面に、接着剤で強固に接合してある。
【００１９】
最後に図２〜図４を参照しつつ、本願考案による、靴下用の補助具の使用方法について説明する。まず図２に示すように、シート部材２を、ガイド部１１の上面に重ねるようにして、このガイド部の先端部分に靴下を手繰りつつ嵌込む。なおこの場合は、靴下４の先端部分が、ガイド部１１の先端に接触するように被せる。また靴下４のゴム口部４ａが、すべり防止部１１ａに十分被さるようにする。そして靴下４のゴム口部４ａの外側に出ている、シート部材２の後端部を掴んで、上方に曲げると、このシート部材の下面とガイド部の両側部との間が開口する。
【００２０】
次に図３に示すように、把持部１２の後端を手５で支えながら、ガイド部１１の上面に足３を乗せて、開口する靴下４のゴム口部４ａに足先を挿入すると、シート部材２の滑らかな表面によって、容易に足先をこの靴下に挿入することができる。そこで図４に示すように、把持部１２の後端を手５で握って、ガイド部１１を引き抜くと、すべり防止部１１ａによって、靴下４が上方に引き上げられ、足３の全体を、この靴下に挿入することができる。
【００２１】
なおシート部材２は、靴下４の上側と足３の甲の表面との間に、滑りつつ引張り込まれ、足先を上側から下側に回って、この靴下の下側と足の底との間から、引き抜かれる。
【産業上の利用可能性】
【００２２】
本考案の靴下用の補助具は、容易に靴下を履くことができるために、看護や介助に関する産業に広く利用可能である。
【図面の簡単な説明】
【００２３】
【図１】靴下用の補助具の斜視図である。
【図２】ガイド部に、靴下を装着する場合を示す斜視図である。
【図３】ガイド部に装着した靴下に足先を挿入する場合を示す斜視図である。
【図４】靴下用の補助具を足のかかとまで引き上げた状態の斜視図である。
【符号の説明】
【００２４】
１                    本体部
１１                    ガイド部
１１ａ                  滑り防止部
１２                    把持部
２                      シート部材
【図１】
0003139846.tif 000003
【図２】
0003139846.tif 000004
【図３】
0003139846.tif 000005
【図４】
0003139846.tif 000006